(57)【特許請求の範囲】
【請求項１】
前進して施錠子の遠心方向への移動を抑止し後退してその抑止を解除するスリーブを操作して、前記施錠子によりソケットとプラグとを着脱自在に連結する管継手であって、径方向に拡大縮小可能な略Ｃ状の構造を有し、その外周にストッパを突出して設けてなる弾性体を、ソケット本体の外周に形成した環状溝に求遠心方向に移動自在に嵌合し、前記スリーブが前進位置にあるとき前記弾性体がその弾発力で拡径することにより前記ストッパが遠心方向に移動して後退しようとするスリーブの後端に係止し、且つスリーブの後退時に、前記弾性体をその弾発力に抗して縮径させ前記ストッパを求心方向に移動させることにより、前記ストッパが後退するスリーブ内に収容されるようにしたことを特徴とする管継手。
【発明の詳細な説明】
【０００１】
【発明の属する技術分野】
本発明は、スリーブを操作してソケットとプラグとを連結させた際に離脱を防止するロック機構を備えた管継手に関する。
【０００２】
【従来の技術】
従来、かかる事故を防止する手段を講じた管継手として、特開平６−２４９３８１号に開示されたものが知られている。
【０００３】
この管継手は、ロックボールを備えたソケットの外周に、ロックボールを前進して押圧し、後退して解除する第２スリーブが摺動自在に嵌合し、同じくソケットの外周に前記第２スリーブの後退側に位置して、外周に前記第２スリーブの後端に当接するストッパを有する第１スリーブが摺動自在に嵌合し、該第１スリーブのストッパには第１スリーブの摺動方向に凹状の逃げ部が切欠形成されている。更に、ソケットの外周に、第１スリーブの後退側に位置して、筒状のロック部材が回転自在に嵌合しており、このロック部材の先端側には、前記ストッパに係止し且つ逃げ部に嵌合可能なロック片が設けられた構造となっている。
【０００４】
かかる構造の管継手は、非連結時には、第１スリーブの逃げ部にロック部材のロック片を嵌合させることにより、第１スリーブ及び第２スリーブを後退させた状態におく。そして連結時には、第１スリーブと第２スリーブを前進させることにより第２スリーブの内周面でロックボールが押圧され、ソケットとプラグとが連結される。ソケットとプラグを連結したら、前記ロック部材を回転させロック片と第１スリーブの逃げ部との位置をずらしておく。これにより第１スリーブが後退しようとしたとき、第１スリーブのストッパが前記ロック片に当接して後退が阻止され、これにより第２スリーブの後退も阻止される。このようにして連結されたソケットとプラグとを分離する場合には、ロック部材を回転させ、ロック片と第１スリーブの逃げ部とを一致させることにより、第１スリーブの後退阻止を解除して行う。
【０００５】
【発明が解決しようとする課題】
しかしながら、前記構造の管継手によれば、ロック時に第２スリーブとともに前進した第１スリーブの後退を阻止するためには、ロック部材を回転させるといった積極的な操作を必要とする。このため、ロック部材の操作を忘れる場合もあり得る。また、ソケットとプラグとの連結時に、第１スリーブがロック部材によりロック（後退阻止）されているか否かは、ロック部材のロック片の位置を注意して見ないと確認し難い。
【０００６】
また、第１スリーブのロックの解除は、ロック部材を回転させるといった容易な操作で行えるため、誤操作に注意しなければならない。
【０００７】
更には、ソケットに、第１スリーブ、第２スリーブとロック部材が嵌合されるため、いきおいソケットの軸方向の長さが長くなり、管継手の小型化を阻害している。
【０００８】
本発明の目的は、前進した施錠子操作用のスリーブを自動的にロックし、安全性の向上が図れる管継手を提供することにある。
【０００９】
本発明の他の目的は、スリーブがロック状態にあるか否かの確認を容易に行えるようにした管継手を提供することにある。
【００１０】
本発明の他の目的は、小型化が図れる管継手を提供することにある。
【００１１】
【課題を解決するための手段】
本発明は前進して施錠子の遠心方向への移動を抑止し後退してその抑止を解除するスリーブを操作して、前記施錠子によりソケットとプラグとを着脱自在に連結する管継手であって、径方向に拡大縮小可能な略Ｃ状の構造を有し、その外周にストッパを突出して設けてなる弾性体を、ソケット本体の外周に形成した環状溝に求遠心方向に移動自在に嵌合し、前記スリーブが前進位置にあるとき前記弾性体がその弾発力で拡径することにより前記ストッパが遠心方向に移動して後退しようとするスリーブの後端に係止し、且つスリーブの後退時に、前記弾性体をその弾発力に抗して縮径させ前記ストッパを求心方向に移動させることにより、前記ストッパが後退するスリーブ内に収容されるようにしたことを特徴とする。
【００１２】
かかる構成から、スリーブを後退させる場合、ストッパを弾発手段の弾発力に抗して押圧して求心方向に移動させることにより、ストッパは後退するスリーブ内に収容可能となり、これによりスリーブの後退が可能となってストッパは後退したスリーブ内に収容される。ソケットとプラグとの連結時に、スリーブが前進すると、スリーブから解放されたストッパは弾発手段の弾発力により遠心方向に移動し、後退しようとするスリーブの後端に係止するので、スリーブは前進位置にロックされ後退が阻止される。
【００１３】
ソケットとプラグとを分離する場合は、前記ストッパを弾発手段の弾発力に抗して、再びスリーブ内に収容可能な位置まで求心方向に移動させることにより、スリーブを後退させることにより行える。
【００１４】
前記スリーブがロックされた状態にあるか否かは、ストッパがスリーブ内に収容された状態にあるか否かといったことを確認することにより行えるものであって、この確認は目視により容易に行える。
【００１５】
また、ストッパはスリーブの後退時にスリーブ内に収容されるので、ストッパの存在がソケット本体の長さを長くする原因にはならない。
【００１６】
【発明の実施の形態】
図１乃至図３は、本発明に係る管継手における実施の形態の一例を示すものであり、同図において、１はソケット、２は筒状のソケット本体、３はソケット本体２とともにソケット１を構成する筒状のアダプタである。前記ソケット本体２は、前部が小径部４、後部が大径部５となっており、小径部４の先端部には周方向に複数の孔６が形成され、この孔６には施錠子７が出没自在に嵌合している。この施錠子７にあっては、本例ではロック爪が使用されているが、これに限定されるものではなく、ロックボールまたはピンであってもよい。
【００１７】
８はソケット本体２の先端側内周に摺動自在に嵌合し、前記施錠子７がソケット本体２の内周に突出しないように支えるカラーであり、このカラー８はスプリング９により先端方向に付勢されており、プラグの連結時に、プラグに押されてスプリング９の弾発力に抗して後退し、前記施錠子７から外れ、ソケット本体２内への施錠子７の突出を可能にするようになっている。
【００１８】
１０はソケット本体２の外周に摺動自在に嵌合し、施錠子７の遠心方向への移動を抑止、解除するスリーブである。このスリーブ１０は、前側に前記ソケット本体２の小径部４に嵌合する小径内周筒部１１を有し後側にソケット本体２の大径部５に嵌合する大径内周筒部１２を有しており、小径内周筒部１１の内周面が前記施錠子７を求心方向に押圧する施錠子抑止面１３となっている。また、小径内周筒部１１の先端側には、前記施錠子７の抑止を解除する凹部１４が形成され、その側壁はスリーブ１０の前進（先端方向への移動）時に施錠子７を求心方向に押圧移動させる傾斜面１５となっている。
【００１９】
１６はスリーブ１０の小径内周筒部１１の段部とソケット本体２の大径部５の段部との間に介装され、スリーブ１０を前進方向に付勢するスプリング、１７はスプリング１６に付勢されて前進したスリーブ１０に係止し、スリーブ１０を、その施錠子抑止面１３が施錠子７を抑止する位置に位置させるストッパである。
【００２０】
１８は前記ソケット本体２の大径部５の外周に形成された環状溝であり、この環状溝１８は、前記スリーブ１０が後退位置にあるとき、ほとんどスリーブ１０内に位置し、スリーブ１０が前進位置にあるとき、環状溝１８の軸方向概ね半分の部分が露出するように形成されている。
【００２１】
１９は求遠心方向に拡大縮小可能な略Ｃ状の構造をした弾性体であり、前記環状溝１８の溝巾と概ね同一の巾に形成されており、前記環状溝１８内に求遠心方向にのみ移動自在に嵌合している。
【００２２】
この弾性体１９の外周には、ストッパ２０が突出して設けられている。このストッパ２０は前記スリーブ１０が前進位置にあるとき、露出する環状溝１８の露出部の巾に応じた巾をもって、弾性体１９の外周面後側に突出して形成されている。このストッパ２０は、本例では対称位置に２カ所設けられているが、これに限定されるものではなく、弾性体１９の全周に渡って設けられていてもよい。また、弾性体１９にストッパ２０を設けた部分の厚さは、環状溝１８の溝の深さとの関係において、弾性体１９をその弾発力に抗して縮径させ、弾性体１９、ストッパ２０を求心方向に移動させたとき、前記スリーブ１０の大径内周筒部１２内に収まる厚さに設定されている。また、弾性体１９はその弾発力により拡径状態にあるときは、弾性体１９の外径がスリーブ１０の大径内周筒部１２の径より大径となるように設定されている。本例では、スリーブ１０の大径内周筒部１２の内周面後端側に、前記ストッパ２０を収容する収容凹部２１が形成されている。
【００２３】
２２はプラグ、２３はプラグ２２の外周に形成された係合溝である。２４はソケット１に挿入したプラグ２２の外周面に圧接してシールするＯリング、２５はプラグ２２の先端に圧接してシールするパッキンである。
【００２４】
次に上記のように構成された本例の作用を説明する。
先ず、ソケット１とプラグ２２とを連結するに際して、ソケット１のスリーブ１０を後退した状態に置く。この状態は、次のようにしてなされる。ストッパ２０を設けた弾性体１９を求心方向に押圧して縮径させ、スリーブ１０をスプリング１６の弾発力に抗して後退させる。このスリーブ１０の後退によりストッパ２０を設けた弾性体１９はスリーブ１０の大径内周筒部１２内に収容され、そして、ソケット本体２の先端部の施錠子７は、スリーブ１０の施錠子抑止面１３から解放された状態となり、スプリング９の付勢により前進するカラー８により下部が支えられ、上部がソケット本体２の外周に突出し、スリーブ１０の凹部１４に入る。これにより、前記後退しているスリーブ１０の傾斜面１５が凹部１４に入っている施錠子７に係止し、これによりスリーブ１０の前進が阻止され、後退した状態に保持される（図１）。
【００２５】
このようにしてスリーブ１０を後退した状態においたソケット１にプラグ２２を挿入すると、挿入したプラグ２２によりカラー８が後退して施錠子７の支えを解き、挿入したプラグ２２の外周に形成した係合溝２３が施錠子７と一致したとき、スリーブ１０の斜面１５により求心方向に押圧を受けている施錠子７は求心方向に移動しその下部がソケット１内に突出してプラグ２２の係合溝２３に係合する。これにより、傾斜面１５と施錠子７との係止状態が解かれたスリーブ１０は圧縮されたスプリング１６の弾発力により前進し、施錠子抑止面１３が前記施錠子７を抑止して係合溝２３からの離脱を阻止し、ソケット１とプラグ２２とが連結される。
【００２６】
このとき、前記スリーブ１０の前進により、後退していたスリーブ１０内に収容されていたストッパ２０がスリーブ１０の抑止から解かれ、弾性体１９の弾発力により遠心方向に移動し、スリーブ１０の後端に係止してスリーブ１０の後退を阻止する。スリーブ１０の前進によりストッパ２０が解放されて拡径した弾性体１９は、その前側がスリーブ１０内にあり、弾性体１０の前側外周がスリーブ１０の内周面に当接して、ソケット本体２の環状溝１８からの離脱が阻止された状態のままにある（図３）。
【００２７】
このようにして連結されたソケット１とプラグ２２とを分離する場合は、スリーブ１０の後端に係止しているストッパ２０を弾性体１９の弾発力に抗して求心方向に押圧してスリーブ１０の大径内周筒部１２内に収容可能な位置まで移動させ、スリーブ１０を後退させる。これにより施錠子７はスリーブ１０の施錠子抑止面１３から解放され、ソケット１からプラグ２２を抜き取ることができ、ソケット１は図１に示す状態になる。
【００２８】
図４は本発明に係る管継手と同じ課題を解決する管継手の実施の形態の一例を示すものであり、本例ではストッパ２０は駒状に形成され、ソケット本体２の外周に形成されたストッパ嵌合溝２６内に求遠心方向にのみ移動自在に嵌合している。そして、ストッパ２０とストッパ嵌合溝２６との間には、ストッパ２０を遠心方向に付勢するスプリング２７が介装されている。
【００２９】
前記ストッパ嵌合溝２６は、スリーブ１０が後退位置にあるときほとんどスリーブ１０内に位置し、スリーブ１０が前進位置にあるときストッパ嵌合溝２６の軸方向概ね半分の部分が露出するように形成されている。
【００３０】
また、前記ストッパ２０は、前側が薄肉部２８、後側が厚肉段部２９となっており、厚肉段部２９の巾は、前記スリーブ１０が前進位置にあるとき露出するストッパ嵌合溝２６の露出部の巾に応じた巾に形成されている。このストッパ２０の厚肉段部２９の厚さは、ストッパ嵌合溝２６の溝の深さとの関係において、ストッパ２０をスプリング２７の弾発力に抗して求心方向に移動させたとき、前記スリーブ１０の大径内周筒部１２内に収まる厚さに設定されている。
【００３１】
前記ストッパ２０及びストッパ嵌合溝２６は、本例ではソケット本体２の外周対称位置に２カ所設けられているが、これに限定されるものではない。
本例において、他の構成は図１に示す実施の形態と同様である。
【００３２】
次に、上記のように構成された本例の作用を説明する。
先ず、ソケット１とプラグ２２とを連結するに際して、ソケット１のスリーブ１０を後退した状態に置く。この状態は次のようにしてなされる。ストッパ２０をスプリング２７の弾発力に抗して求心方向に押圧移動させ、スリーブ１０を後退させる。このスリーブ１０の後退によりストッパ２０はスリーブ１０の大径内周筒部１２内に収容される。以後は前記した図１に示す実施の形態と同様の動作により、スリーブ１０が後退した状態に保持され、そして、この状態にあるソケット１にプラグ２２を挿入することにより、後退していたスリーブ１０が前進して、その施錠子抑止面１３で施錠子７が抑止され、ソケット１とプラグ２２とが連結される。
【００３３】
このとき、前記スリーブ１０の前進により、スリーブ１０内に収容されていたストッパ２０の厚肉段部２９がスリーブ１０の抑止から解除され、スプリング２７の弾発力によりストッパ２０が遠心方向に移動し、前記厚肉段部２９がスリーブ１０の後端に係止してスリーブ１０の後退を阻止する。そして、このとき、ストッパ２０の薄肉部２８は前進したスリーブ１０内にあり、薄肉部２８はスリーブ１０の内周面に当接し、ストッパ２０はストッパ嵌合溝２６からの離脱が阻止された状態のままにある。
【００３４】
このようにして連結されたソケット１とプラグ２２とを分離する場合は、スリーブ１０の後端に係止しているストッパ２０をスプリング２７の弾発力に抗して求心方向に押圧して、スリーブ１０の大径内周筒部１２内に収容可能な位置まで移動させて、スリーブ１０を後退させる。あとは、前記した図１に示す実施の形態と同様である。
【００３５】
【発明の効果】
以上のように本発明に係る管継手によれば、スリーブを前進させ、ソケットとプラグとを連結したとき、ストッパが自動的に遠心方向に移動して、スリーブの後端に係止し、スリーブをロックするので、ソケットとプラグの連結後のスリーブのロック操作忘れの心配が無く、安全性に優れており、またスリーブが後退位置にあるときストッパはスリーブ内に収容され、そしてスリーブが前進位置にあるとき、ストッパがスリーブ外にあるので、スリーブがロックされた状態にあるか否かをストッパを目視するといった簡単な手段により、容易に且つ確実に確認することができる。更には、前記ストッパはソケット本体に求遠心方向にのみ移動可能に設けられ、スリーブの後退時にはスリーブ内に収容されるので、ストッパの存在がソケットの長さを長くする原因にはならず、コンパクトな管継手を得ることができる。
【図面の簡単な説明】
【図１】本発明に係る管継手の実施の形態の一例を示す一部縦断側面図。
【図２】図１に示す実施の形態で用いているストッパを示す拡大斜視図。
【図３】図１に示すソケットとプラグとを連結した状態を示す一部縦断側面図。
【図４】  本発明に係る管継手と同じ課題を解決する管継手の実施の形態の一例を示す縦断側面図。
【図５】図４に示す実施の形態で用いているストッパを示す拡大斜視図。
【図６】図５に示すストッパの断面図。
【符号の説明】
１            ソケット
２            ソケット本体
３            アダプタ
４            小径部
５            大径部
６            孔
７            施錠子
８            カラー
９            スプリング
１０          スリーブ
１１          小径内周筒部
１２          大径内周筒部
１３          施錠子抑止面
１４          凹部
１５          傾斜面
１６          スプリング
１７          ストッパ
１８          環状溝
１９          弾性体
２０          ストッパ
２１          収容凹部
２２          プラグ
２３          係合溝
２４          Ｏリング
２５          パッキン
２６          ストッパ嵌合溝
２７          スプリング
２８          薄肉部
２９          厚肉段部
【図１】
0003930931.tif 000002
【図２】
0003930931.tif 000003
【図３】
0003930931.tif 000004
【図４】
0003930931.tif 000005
【図５】
0003930931.tif 000006
【図６】
0003930931.tif 000007